(57)【特許請求の範囲】
【請求項１】
商品情報を印字する装置であって、
各商品と対応付けて当該商品の包装容器を特定する特定情報を記憶するとともに、各特定情報に対応付けて当該特定情報が示す包装容器の廃棄および収集のうちの少なくとも一方に関する案内文を記憶する記憶手段と、
前記記憶手段に記憶されている情報を参照して、処理対象の商品についての包装容器を特定し、特定した包装容器に対応する案内文を選定する案内文選定手段と、
前記処理対象の商品についての包装容器またはそれに付随すべき商品情報表示媒体を印字対象として、前記案内文選定手段で選定された案内文を、前記印字対象に印字する印字手段と、
を備えることを特徴とする、商品情報印字装置。
【請求項２】
請求項１に記載の商品情報印字装置であって、
前記記憶手段は、各前記特定情報に対応付けて当該特定情報が示す包装容器の材質を特定する第２特定情報を記憶するとともに、各第２特定情報に対応付けてリサイクル用識別表示を記憶し、
前記記憶手段に記憶されている情報を参照して、前記処理対象の商品についての包装容器を特定し、特定した包装容器の材質を特定し、特定した材質に対応するリサイクル用識別表示を特定する特定手段と、
前記特定手段で特定されたサイクル用識別表示を前記印字対象に印字する手段と、
をさらに備えることを特徴とする、商品情報印字装置。
【請求項３】
商品情報印字装置により商品情報を印字する方法であって、
各商品と対応付けて当該商品の包装容器を特定する特定情報を記憶するとともに、各特定情報に対応付けて当該特定情報が示す包装容器の廃棄および収集のうちの少なくとも一方に関する案内文を記憶する記憶手段に記憶されている情報を参照して、処理対象の商品についての包装容器を特定し、特定した包装容器に対応する案内文を選定する案内文選定工程と、
前記処理対象の商品についての包装容器またはそれに付随すべき商品情報表示媒体を印字対象として、前記案内文選定工程で選定された案内文を、前記印字対象に印字する印字工程と、
を備えることを特徴とする、商品情報印字方法。
【請求項４】
請求項３に記載の商品情報印字方法であって、
前記記憶手段は、各前記特定情報に対応付けて当該特定情報が示す包装容器の材質を特定する第２特定情報を記憶するとともに、各第２特定情報に対応付けてリサイクル用識別表示を記憶し、
前記記憶手段に記憶されている情報を参照して、前記処理対象の商品についての包装容器を特定し、特定した包装容器の材質を特定し、特定した材質に対応するリサイクル用識別表示を特定する特定工程と、
前記特定工程で特定されたリサイクル用識別表示を前記印字対象に印字する工程と、
をさらに備えることを特徴とする、商品情報印字方法。
【発明の詳細な説明】
【０００１】
【発明の属する技術分野】
本発明は、商品の情報を印字する、商品情報処理装置に関する。
【０００２】
【発明の背景】
食品スーパーなどでは、従来から、牛乳パックや食品用トレーの回収など、資源リサイクルに対する様々な取り組みを行っており、環境に対する企業姿勢をアピールするための重要な一側面をなしている。
【０００３】
一方、２００１年４月１日に施行された資源有効利用促進法により、紙製容器包装およびプラスチック製容器包装についての利用事業者、製造事業者、および輸入販売事業者に対して、これらの容器包装についての識別表示が義務づけられるようになった。図１４は、紙製容器およびプラスチック容器についての識別に用いられる、識別表示を示す図である。図１４（ａ）が紙製容器、図１４（ｂ）がプラスチック容器の場合に用いられる表示である。
【０００４】
これらの識別表示は、商品を包装する個々の包装材ごとに表示することが求められるが、複数の包装材による多重容器包装がなされている場合に限って、表示可能な場所に、一括表示することも認められている。例えば、生鮮食料品の包装で多く用いられるトレーとラップフィルムからなる多重容器包装の場合、トレーには直接に印刷あるいは刻印によって識別表示を行うことは容易であるが、ラップフィルムに対してそれらを行うことは困難である。この場合、ラップフィルムに貼付される、商品情報が記載されたラベルに、トレーおよびラップフィルムの識別表示を一括して行うことが認められている。
【０００５】
【発明が解決しようとする課題】
しかしながら、こうした識別表示が消費者に視認されたとしても、包装容器の廃棄あるいは回収の方法についての情報が、必ずしも消費者に伝達されるわけではない。どのように廃棄すればよいのか、あるいは各スーパーがどのように回収を行っているのかなどについて、別途情報を呈示することが、資源リサイクルを推進する立場からは望ましい。また、包装容器の回収に協力する消費者に対し特典を提供することで、回収を促進しつつ、顧客の取り込みを行うことも可能である。
【０００６】
特に、上述のようなラベルにおける一括表示の場合、それぞれの包装容器についての廃棄・回収の情報を、それぞれの識別表示と併記することで、より効率的に、消費者への廃棄・回収方法の案内、さらにはそれらに対応する特典の案内などを行うことができると考えられるが、こうした表示を実現する商品情報印字装置は、これまでなかった。
【０００７】
本発明は、上記課題に鑑みてなされたものであり、そうした案内文をラベルに印字できる商品情報印字装置を提供することを目的とする。
【０００８】
【課題を解決するための手段】
上記課題を解決するため、請求項１の発明は、商品情報を印字する装置であって、各商品と対応付けて当該商品の包装容器を特定する特定情報を記憶するとともに、各特定情報に対応付けて当該特定情報が示す包装容器の廃棄および収集のうちの少なくとも一方に関する案内文を記憶する記憶手段と、前記記憶手段に記憶されている情報を参照して、処理対象の商品についての包装容器を特定し、特定した包装容器に対応する案内文を選定する案内文選定手段と、前記処理対象の商品についての包装容器またはそれに付随すべき商品情報表示媒体を印字対象として、前記案内文選定手段で選定された案内文を、前記印字対象に印字する印字手段と、を備えることを特徴とする。
【０００９】
また、請求項２の発明は、請求項１に記載の商品情報印字装置であって、前記記憶手段は、各前記特定情報に対応付けて当該特定情報が示す包装容器の材質を特定する第２特定情報を記憶するとともに、各第２特定情報に対応付けてリサイクル用識別表示を記憶し、前記記憶手段に記憶されている情報を参照して、前記処理対象の商品についての包装容器を特定し、特定した包装容器の材質を特定し、特定した材質に対応するリサイクル用識別表示を特定する特定手段と、前記特定手段で特定されたサイクル用識別表示を前記印字対象に印字する手段と、をさらに備えることを特徴とする。
【００１０】
また、請求項３の発明は、商品情報印字装置により商品情報を印字する方法であって、各商品と対応付けて当該商品の包装容器を特定する特定情報を記憶するとともに、各特定情報に対応付けて当該特定情報が示す包装容器の廃棄および収集のうちの少なくとも一方に関する案内文を記憶する記憶手段に記憶されている情報を参照して、処理対象の商品についての包装容器を特定し、特定した包装容器に対応する案内文を選定する案内文選定工程と、前記処理対象の商品についての包装容器またはそれに付随すべき商品情報表示媒体を印字対象として、前記案内文選定工程で選定された案内文を、前記印字対象に印字する印字工程と、を備えることを特徴とする。
【００１１】
また、請求項４の発明は、請求項３に記載の商品情報印字方法であって、前記記憶手段は、各前記特定情報に対応付けて当該特定情報が示す包装容器の材質を特定する第２特定情報を記憶するとともに、各第２特定情報に対応付けてリサイクル用識別表示を記憶し、
前記記憶手段に記憶されている情報を参照して、前記処理対象の商品についての包装容器を特定し、特定した包装容器の材質を特定し、特定した材質に対応するリサイクル用識別表示を特定する特定工程と、前記特定工程で特定されたリサイクル用識別表示を前記印字対象に印字する工程と、をさらに備えることを特徴とする。
【００１７】
【発明の実施の形態】
＜第１の実施の形態＞
＜装置概要＞
図１は、本発明の第１の実施形態にかかる商品情報印字装置として機能する、自動計量包装値付装置１の正面図である。図２は、自動計量包装値付装置１の内部構成を表す側面図である。図３は、自動計量包装値付装置１の全体構成を表すブロック図である。
【００１８】
図１、図２および図３に示すように、この自動計量包装値付装置１は、商品供給部２、プリント機構部ＰＭ、入力操作部７、および制御部４０とを主として備えている。
【００１９】
商品供給部２には、計量、包装、および値付をすべき商品が載置される。商品供給部２には計量部１０が組み込まれている。計量部１０は、自動計量包装値付装置１に供給される商品の計量を行い、計量結果に応じた値段等を含む商品情報を当該ラベルに印字することができる。
【００２０】
プリント機構部ＰＭは、計量部１０による計量結果、単価、これらに基づく販売金額、およびその他の商品情報を各ラベルＬＢに対して印字する複数の印字ヘッド２０と、複数の印字ヘッド２０が配置された搬送経路において、各ラベルを搬送するラベル搬送部３０とを備えており、複数の印字ヘッドによるラベルＬＢへの印字処理、台紙に連続貼付された各ラベルＬＢに対して各商品ごとの情報（商品情報）を印字する。
【００２１】
入力操作部７は、自動計量包装値付装置１の動作メニューや、登録データ、動作状況などを表示する表示パネル７１と、テンキーその他のキーからなる入力キー７２とを備えている。装置使用者の指示や、後述するいくつかのマスタに登録すべき各種のデータなどは、入力操作部７を通じて入力される。また、表示パネル７１は、入力操作可能なタッチパネルである操作パネル７３としても機能する。図４は、操作パネル７３の例を示す図である。図４においては、商品名の登録を行う操作画面を、例として示しているが、メニューキーＫＭにより、その他のデータ登録や、計量、包装、および値付あるいは印字などを実行させるための操作画面に、切り替えることができる。
【００２２】
制御部４０は、ＣＰＵ４０１と、ＲＯＭ４０２と、ＲＡＭ４０３と、例えばハードディスクなどから構成される記憶部４０４と、タイマ４０５とを主として備える。これらは、バスライン４９を介して互いに接続されている。なお、入力操作部７、計量部１０などもそれぞれ、バスライン４９に電気的に接続されている。記憶部４０４は、自動計量包装値付装置１の各種処理を実行するプログラム４０４ｐと、各商品の商品情報（品名、単価等）を商品ごとに記憶する商品マスタＭＳ１と、商品の包装に用いられるラップフィルムについての情報を記憶するフィルムマスタＭＳ２と、商品の包装に用いられるトレーについての情報を記憶するトレーマスタＭＳ３と、商品の容器包装に表示されるリサイクル用識別マークおよび材質表示について記憶するリサイクル表示マスタＭＳ４と、トレー、ラップフィルムなどの容器包装についての廃棄・回収の方法や、それらに伴い付与される特典についての案内文を記憶する案内文マスタＭＳ５とを備える。
【００２３】
図５は、制御部４０における機能を示すブロック図である。制御部４０は、ＣＰＵ４０１、ＲＯＭ４０２、ＲＡＭ４０３、記憶部４０４などの機能として実現される、計量部１０からの計量結果（計量値）のデータを受信する計量結果受信部４１と、その計量結果（計量値）や商品情報などに基づいて各ラベルに印字する印字内容を生成する印字内容生成部４２と、ラベルＬＢへの印字動作を制御する印字処理制御部４３とを備える。
【００２４】
また、図２に示すように、この自動計量包装値付装置１は、未包装状態の各商品を包装する包装部５０と、各商品ごとの情報が印字されたラベルＬＢを、各商品に貼付する貼付部６０とをさらに備えている。これらに対応して、制御部４０は、包装部５０による包装処理を制御する包装処理制御部４５と、貼付部６０によるラベル貼付処理を制御する貼付処理制御部４６とを備える。
【００２５】
ここで、包装部５０は、例えば、トレーなどの容器に載せられた食肉などの商品を各種の包装用のラップフィルムを用いて包装する包装機能を有している。図２に示すように、包装部５０は、移送機構５１と、一対の左右折込板５２と、後折込板５３と、プッシャ５４と、熱溶着コンベヤ５５とを有している。この包装部５０の包装機能について、図２を参照しながら具体的に説明する。
【００２６】
商品供給部２に供給されたトレーＴは、図２において右側に移動されてリフタＬＦ上に載置された後、そのリフタＬＦによって上方へ移動される。また、この上昇動作に先立って、移送機構５１によって、ラップフィルムＦがトレーＴの上方においてあらかじめ張設状態とされて供給されている。そして、このリフタＬＦによる上昇動作の結果、トレーＴ上に載置された商品の上面やトレーＴの辺縁部にラップフィルムＦが密着する。さらに、トレーＴの上面をラップフィルムＦが覆った状態で、左右折込板５２、後折込板５３、およびプッシャ５４などを用いて、ラップフィルムＦの四辺をトレーＴの底面（下面）側に折り込んだ後、熱溶着コンベヤ５５によってトレーＴの底面側に折り込まれたラップフィルムＦの各辺縁部を互いに溶着することにより、包装処理を実現することができる。
【００２７】
また、ラベル貼付部６０は、印字が完了した各ラベルＬＢを台紙から剥離して、商品（より具体的にはラップフィルムＦ）に貼付する。このラベル貼付部６０としては、例えば、真空吸着によりラベルＬＢを吸着するタイプのものなどを採用することができる。
【００２８】
このように、この自動計量包装値付装置１は、計量機能および印字機能に加えて、包装機能およびラベル貼付機能（値付機能）をも有している。なお、以下において、自動計量包装値付装置１において、計量、包装、印字、および貼付を実行することを単に「処理する」といい、処理される商品を「処理対象」という。
【００２９】
＜各マスタの設定＞
本実施形態にかかる自動計量包装値付装置１には、上述のように、マスタと呼ばれるデータベースが複数備わっている。これら複数のマスタは、共通の項目要素を介して互いにリンクしている。以下、それぞれのマスタについて説明する。
【００３０】
図６は、商品マスタＭＳ１の例を示す図である。商品マスタＭＳ１は、各行（レコード）が１つ１つの商品に相当し、各商品ごとに、品番ＭＳ１１、商品名ＭＳ１２、単価設定単位ＭＳ１３、単価ＭＳ１４、消費期限ＭＳ１５、保存温度ＭＳ１６、フィルム番号ＭＳ１７、トレー番号ＭＳ１８、および付加文番号ＭＳ１９の９項目を商品情報として備える。また、各項目の要素の設定が不要な場合は、「Ｎ」と記されている（以下同様）。フィルム番号ＭＳ１７、トレー番号ＭＳ１８、および付加文番号ＭＳ１９については後述する。
【００３１】
例えば、品番ＭＳ１１が「００１００１」である商品名ＭＳ１２が「国産牛モモ切り落とし」という商品が、処理対象である場合を考えると、この場合、商品名ＭＳ１２と、単価設定単位ＭＳ１３である「１００ｇ」当たりの単価である単価ＭＳ１４と、印字内容生成部４２において単価ＭＳ１４の値「１９８円」に商品の計量結果を乗じることにより決定される販売金額と、タイマ４０５から得られる日時データと消費期限ＭＳ１５の値「２日」とから定まる消費期限が、商品に関し顧客に呈示されるデータとしてラベルＬＢに印字されることになる。
【００３２】
図７は、フィルムマスタＭＳ２の例を示す図である。フィルムマスタＭＳ２は、フィルム番号ＭＳ２１、材質番号ＭＳ２２、フィルムのサイズ（幅）ＭＳ２３、および案内文番号ＭＳ２４の４項目から構成され、フィルムマスタＭＳ２の各レコードは、材質あるいはサイズの異なる１つ１つのラップフィルムに相当する。なお、フィルムマスタＭＳ２のフィルム番号ＭＳ２１と、商品マスタＭＳ１のフィルム番号ＭＳ１７とは共通である。材質番号ＭＳ２２、および案内文番号ＭＳ２４については後述する。
【００３３】
図８は、トレーマスタＭＳ３の例を示す図である。トレーマスタＭＳ３は、トレー番号ＭＳ３１、材質番号ＭＳ３２、トレーのサイズＭＳ３３、および案内文番号ＭＳ３４の４項目から構成され、トレーマスタＭＳ３の各レコードは、材質あるいはサイズの異なる１つ１つのトレーに相当する。なお、トレーマスタＭＳ３のトレー番号ＭＳ３１と、商品マスタＭＳ１のトレー番号ＭＳ１８とは共通である。材質番号ＭＳ３２、および案内文番号ＭＳ３４については次述する。
【００３４】
図９は、リサイクル表示マスタＭＳ４の例を示す図である。リサイクル表示マスタＭＳ４は、材質番号ＭＳ４１、材質略称ＭＳ４２、識別マーク種ＭＳ４３の３項目から構成され、リサイクル表示マスタＭＳ４の各レコードは、種類の異なる１つ１つの包装用材料に相当する。リサイクル表示マスタＭＳ４の材質番号ＭＳ４１は、フィルムマスタＭＳ２の材質番号Ｍ２２、およびトレーマスタＭＳ３の材質番号ＭＳ３２と共通である。識別マーク種ＭＳ４３は、包装用材料がプラスチックであるか、あるいは紙である場合にラベルＬＢに印字されるよう定められた、図１４の識別マークと対応している。「プラ」は材質がプラスチックである場合に印字される図１４（ａ）と、「紙」は材質が紙である場合に印字される図１４（ｂ）と対応する。図１４の各識別マークはいずれもイメージデータとして、記憶部４０４に記憶される。これらの識別マークは、使用部位を併記して、リサイクル用識別表示として、適切な場所に印字される。
【００３５】
なお、材質がプラスチックである場合には、識別マークと使用部位だけでなく、より具体的な材質を併記することが推奨されている。これに対応する項目が、材質略称ＭＳ４２である。材質略称ＭＳ４２に用いられる材料の表示は、ＪＩＳＫ  ６８９９−１  ２０００（ＩＳＯ  １０４３−１  １９９７）に定められている記号により行われる。例えば、図９において示される材質略称ＭＳ４２と対応する材質名は、以下の通りである。
【００３６】
ＰＥ：ポリエチレン；
ＰＥＴ：ポリエチレンテレフタレート；
ＰＰ：ポリプロピレン；
ＰＳ：ポリスチレン；
ＰＶＣ：ポリ塩化ビニル；
図１０は、案内文マスタＭＳ５の例を示す図である。案内文マスタＭＳ５は、案内文番号ＭＳ５１と、案内文ＭＳ５２の２項目で構成され、各レコードごとに異なる案内文が設定されている。
【００３７】
＜リサイクル用識別表示および案内文の選定＞
次に、印字内容生成部４２において実行される、ラベルＬＢに印字されるリサイクル用識別表示（以下、単に「識別表示」という）およびこれに関連する廃棄方法などの案内文を選定する方法について説明する。これらは、上述の各マスタ同士のリンクに基づいてなされる。例として、処理対象に商品名ＭＳ１２が「国産牛モモ切り落とし」という商品が選択された場合を示す。図１１は、各マスタのレコードの要素Ｅ１〜Ｅ１３が、どのようにリンクしているかを説明する図である。
【００３８】
＜識別表示の選定＞
まずあらかじめ、リサイクル表示マスタＭＳ４において、材質番号ＭＳ４１と材質略称ＭＳ４２および識別マーク種ＭＳ４３とが対応付けられている。例えば、材質番号ＭＳ４１が「５」である要素Ｅ４は、材質略称ＭＳ４２が「ＰＶＣ」である要素Ｅ６と対応付けられている。一方、フィルムマスタＭＳ２においては、材質番号ＭＳ２２とフィルムのサイズＭＳ２３との組み合わせごとに、フィルム番号ＭＳ２１が付与されている（実際には案内文番号ＭＳ２４も組み合わせの対象だが、これについては後述する）。図１１の場合、要素Ｅ４でサイズが３００ｍｍのフィルムに、「１」というフィルム番号ＭＳ２１が与えられている。これを要素Ｅ２とする。
【００３９】
商品マスタＭＳ１においてフィルム番号をどのように選択するかで、対象とする商品の包装に用いられるフィルムが定まる。図１１の場合、要素Ｅ１の「国産牛モモ切り落とし」のフィルム番号ＭＳ１７に「１」を選択することにより、「国産牛モモ切り落とし」に対しては、「１」というフィルム番号ＭＳ２１を持つフィルム、すなわち要素Ｅ６より、材質略称ＭＳ４２が「ＰＶＣ」のフィルムを用いる場合に対応する。材質番号ＭＳ４１が定まることで、識別表示の内容も定められる。
【００４０】
トレーの場合も同様に、リサイクル表示マスタＭＳ４において、材質番号ＭＳ４１と材質略称ＭＳ４２および識別マーク種ＭＳ４３とが対応付けられており、トレーマスタＭＳ３において、材質番号ＭＳ３２とトレーのサイズＭＳ３３との組み合わせに対し、トレー番号ＭＳ３１が定められている。どのトレーを用いるかを、商品マスタＭＳ１のトレー番号ＭＳ１８として定めることにより、トレーについての識別表示の内容が定まる。
【００４１】
以上のように、「国産牛モモ切り落とし」という商品に用いられる包装材に関して、印字すべき識別表示の内容が選定される。図１１の場合、図１４（ａ）に示す「プラ」の識別マークと、フィルムの材質がＰＶＣであり、トレーの材質がＰＳであることを示す材質表示とがこれに相当する。
【００４２】
また、各マスタにおける各項目の設定値を適切に設定することにより、個々の商品の包装形態に合致した識別表示を、商品ごとに設定することが可能となる。
【００４３】
＜案内文の選定＞
次に、印字内容生成部４２において実行される、ラベルＬＢに印字される案内文の選定について説明する。案内文の選定は、識別表示の場合と同様に、上述の各マスタ同士のリンクに基づいてなされる。
【００４４】
案内文に関しては、案内文マスタＭＳ５において、登録された案内文ＭＳ５２に案内文番号ＭＳ５１がそれぞれ付与されている。図１１の場合、例えば、「１」という案内文番号ＭＳ５１に対しては、「燃えるゴミとして処分して下さい。」という案内文ＭＳ５２が設定されている。
【００４５】
さらにフィルムの場合、フィルムマスタＭＳ２において、材質番号ＭＳ２２とフィルムのサイズＭＳ２３との組み合わせごとにフィルム番号ＭＳ２１が設定される。識別表示の場合と同様に、商品マスタＭＳ１において個々の商品に対しどのフィルム番号ＭＳ１７を選定するかによって、どの案内文ＭＳ５２を選択するかが定まることになる。
【００４６】
さらに、案内文に関しては、上述のようなフィルムあるいはトレーの種別から選定される案内文とは別の、さらなる案内文を付加文として印字させることができる。これは、商品マスタＭＳ１の付加文番号ＭＳ１９という項目の設定により実現する。付加文番号ＭＳ１９において設定される値には、案内文マスタＭＳ５の案内文番号ＭＳ５１の値が用いられる。これはすなわち、商品マスタＭＳ１において、直接に案内文を選定することに相当する。付加文番号ＭＳ１９は商品ごとに独立して設定されるので、例えば、上述のトレーやフィルムについての廃棄方法に該当しないような、特殊な廃棄方法を要する包装について、その廃棄方法を提示する案内文を呈示することが可能となる。
【００４７】
また、商品の金額あるいは顧客のリサイクルに対する協力度などに応じた特典を与えるポイントサービスを実施されている場合、案内文によりこれに関連する特典を呈示することもできる。例えば、トレーの回収に関するポイントサービスがある場合、「国産牛モモ切り落とし」は付加文番号ＭＳ１９を「１１」、これより単価ＭＳ１４の高い「和牛サーロインステーキ」は同じく「１２」とすることで、各々に対応する案内文ＭＳ５２の内容に示されるように、商品の金額が高いほど、高い回収ポイントを与えるようなことも可能である。
【００４８】
以上のデータから、「国産牛モモ切り落とし」に関して印字される案内文が選定される。また、各マスタにおける各項目の設定値を適切に設定することにより、個々の商品に適した案内文を、商品ごとに設定することが可能となる。
【００４９】
＜識別表示および案内文の印字＞
識別表示および案内文が選定されると、印字処理制御部４３の制御に従い、プリント機構部ＰＭにおいて、前述の商品情報とともにラベルＬＢに印字される。図１１の場合、識別表示については、図１４（ａ）に示す「プラ」の識別マークと、フィルムの材質がＰＶＣであり、トレーの材質がＰＳであることを示す材質表示とが、案内文については、フィルムに関する「燃えるゴミとして処分して下さい。」という案内文と、トレーに関する「トレー回収箱で回収しています。」という案内文と、これらとは別に選定される「回収ポイント１点追加です。」という案内文とが、印字データとして印字処理制御部４３に伝達され、プリント機構部ＰＭにより印字される。図１２は、識別表示および案内文が印字されたラベルＬＢ１を示す図である。なお、印字レイアウトはこれに限定されず、商品情報のレイアウトを含め、適宜変更されてよい。
【００５０】
以上のように、第１の実施形態においては、商品情報を印字するラベルに、リサイクル用の識別表示と、これに関連した、あらかじめ定められた案内文とを印字することができる。
【００５１】
＜第２の実施の形態＞
第１の実施形態では、商品マスタＭＳ１で選択される商品ごとに案内文が選定される構成であったが、本発明における案内文の選定方法は、これに限定されない。例えば、包装材の材質ごとに案内文を選定してもよい。以下、これを説明する。
【００５２】
図１３は、本実施形態において、各マスタのレコードの要素Ｅ２１〜Ｅ２７が、どのようにリンクしているかを説明する図である。ただし、図１３には、フィルムに関するリンクのみを示している。
【００５３】
図１３の場合、材質略称ＭＳ４２が「ＰＶＣ」である材質（ポリ塩化ビニル）について、案内文の選定が行われる。リサイクル表示マスタＭＳ４においては、この材質、すなわち要素Ｅ２１に対応する材質番号ＭＳ４１は「５」と設定されている。これを要素Ｅ２２とする。
【００５４】
一方、案内文マスタＭＳ５において、案内文ＭＳ５２と案内文番号ＭＳ５１との対応はあらかじめ定められている。フィルムマスタＭＳ２において、要素Ｅ２２に対しどの案内文番号ＭＳ２４を選択するかによって、要素Ｅ２１に対応した案内文の選定が行える。なお、図７のフィルムマスタＭＳ２においては、同一の材質番号ＭＳ２２に複数のフィルム番号が対応しているが（具体的には、要素Ｅ２２に対して要素Ｅ２５〜Ｅ２７）、１つの材質番号ＭＳ２２には１つの案内文番号ＭＳ２４を定めるよう規則付けることで、同一の材質を持つフィルムについて、全て同じ案内文が印字できることになる。また、図１３は、要素Ｅ２２に対して、要素Ｅ２４の「燃えるゴミとして処分して下さい。」という案内文と対応する案内文番号ＭＳ５１を選択した場合に相当する。
【００５５】
なおこの場合、あらかじめ包装材の材質が定まっていることから、印字される識別表示も初めから確定していることになり、識別表示に対応して案内文を設定していることにもなる。
【００５６】
トレーについても、同様に、材質（正確には材質略称ＭＳ４２）から案内文を選定することができる。
【００５７】
また、付加文については、第１の実施形態と同様に商品マスタＭＳ１に付加文番号ＭＳ１９を設定して、選定を行ってもよいし、フィルムマスタＭＳ２やトレーマスタＭＳ３に、付加文番号を設定するような構成をとってもよい。
【００５８】
以上のように、第２の実施形態においては、商品の包装に用いられる包装材の材質あるいは材質表示に応じて、その廃棄・回収方法などを説明する案内文をラベルに印字することができる。
【００５９】
＜変形例＞
◎上述の実施形態はいずれも、あらかじめ登録した案内文を、一定の条件に従って選定し、印字する構成であるが、案内文の登録および選定は、印字の実行時にマニュアルで逐次行ってもよい。特に付加文は、販促メッセージの呈示手段として利用する場合もあり、使用者（商品販売者）の要求に応じてフレキシブルに入力・選定できることが望ましい場合もある。
【００６０】
◎各マスタの項目要素は、上述の実施形態に限定されない。例えば、食品によっては、吸水シートなど、トレーやラップフィルムだけでなく、他の包装材も用いられる場合があるが、これらに対応する項目を設定する構成であってよい。また、添加物の表示など、他の商品情報のための項目が、含まれていてもよい。
【００６１】
◎本発明にかかる商品情報印字装置に、計量、包装機能は必須のものではない。値付およびラベルの発行機能のみを備える、いわゆるラベラと呼ばれる装置であってもよい。
【００６２】
◎ラベルへの印字は、複数の色を用いてなされてもよい。例えば、識別表示あるいは案内文の印字を、他の商品情報と異なる色で実行することにより、顧客の視認性を高め、それらの呈示する情報が、より効果的に伝達することも可能である。
【００６３】
【発明の効果】
以上、説明したように、請求項１ないし請求項４の発明によれば、顧客に対し、包装容器の廃棄や収集の方法に関する情報を呈示できる。
【００６５】
特に、請求項２および請求項４の発明によれば、リサイクル用識別表示とともに、顧客に包装容器の廃棄や収集の方法の情報を呈示できる。
【図面の簡単な説明】
【図１】自動計量包装値付装置１の正面図である。
【図２】自動計量包装値付装置１の内部構成を示す側面図である。
【図３】自動計量包装値付装置１の全体構成を表すブロック図である。
【図４】操作パネル７３の画面表示例を示す図である。
【図５】制御部４０における機能を示すブロック図である。
【図６】商品マスタＭＳ１の例を示す図である。
【図７】フィルムマスタＭＳ２の例を示す図である。
【図８】トレーマスタＭＳ３の例を示す図である。
【図９】リサイクル表示マスタＭＳ４の例を示す図である。
【図１０】案内文マスタＭＳ５の例を示す図である。
【図１１】各マスタのレコードの要素Ｅ１〜Ｅ１３が、どのようにリンクしているかを説明する図である。
【図１２】識別表示および案内文が印字されたラベルＬＢ１を示す図である。
【図１３】各マスタのレコードの要素Ｅ２１〜Ｅ２７が、どのようにリンクしているかを説明する図である。
【図１４】紙製容器およびプラスチック容器についての識別に用いられる、識別表示を示す図である。
【符号の説明】
１  自動計量包装値付装置
２  商品供給部
４０  制御部
５１  移送機構
５２  左右折込板
５３  後折込板
５４  プッシャ
５５  熱溶着コンベヤ
７  入力操作部
Ｆ  ラップフィルム
ＬＢ、ＬＢ１  ラベル
ＬＦ  リフタ
ＰＭ  プリント機構部
Ｔ  トレー
【図１】
0004803924.tif 000002
【図２】
0004803924.tif 000003
【図３】
0004803924.tif 000004
【図４】
0004803924.tif 000005
【図５】
0004803924.tif 000006
【図６】
0004803924.tif 000007
【図７】
0004803924.tif 000008
【図８】
0004803924.tif 000009
【図９】
0004803924.tif 000010
【図１０】
0004803924.tif 000011
【図１１】
0004803924.tif 000012
【図１２】
0004803924.tif 000013
【図１３】
0004803924.tif 000014
【図１４】
0004803924.tif 000015